(57)【要約】【課題】簡単な構造で、温度誤検知のない空気調和機の温度センサ固定装置を提供する。【解決手段】一面に開口面３を有し他の二面に複数の連通孔２を有する第一箱部１５と、開口面３の一端に形成され他の部品に連結される第一本体固定部１６と、同一面上の他端に第一箱部１５と略対称に形成された第二箱部１７および第二本体固定部１８と、開口面３および第二箱部１７の開口面１９を連結する薄肉部９とを備え、開口面３の第一本体固定部１６に隣接する一辺に電線出口２０および第一本体固定部１６の突出方向に略９０°屈曲する電線保護板２１を形成し、さらに開口面３に対向する面２２に温度センサ固定溝２３を有する温度センサ固定板２４を形成し、開口面３に対し開口面１９を１８０°折り返して温度センサ１０の感熱部１１を第一箱部１５と第二箱部１７で収納するもので、簡単な構造で温度センサ１０を保護し、最適位置に保持して温度誤検知が防止できる。【選択図】図１
2010112641.tif 000002
【特許請求の範囲】
【請求項１】
一面に開口面を有し少なくとも他の二面に複数の連通孔を有する第一箱部と、前記第一箱部の開口面の一端に形成され他の部品に連結される第一本体固定部と、同一面上の他端に前記第一箱部と略対称に形成された第二箱部および第二本体固定部と、前記第一箱部の開口面および前記第二箱部の開口面を連結する薄肉部とを備え、前記第一箱部の開口面において、前記薄肉部および前記第一本体固定部が設けられていない前記第一本体固定部に隣接する一辺に、温度センサの電線を通す電線出口および前記第一本体固定部の突出方向に略９０°屈曲する電線保護板を形成し、さらに前記第一箱部の開口面に対向する面に、温度センサ固定溝を有する温度センサ固定板を形成し、前記第一箱部の開口面に対し前記第二箱部の開口面を１８０°折り返すことで前記温度センサの感熱部が前記第一箱部および前記第二箱部に収納される空気調和機の温度センサ固定装置。
【請求項２】
第一本体固定部および第二本体固定部の一部を省略し、第一箱部の開口面に対し第二箱部の開口面を１８０°折り返したときに、他の部品に連結される本体固定部が形成される請求項１に記載の空気調和機の温度センサ固定装置。
【請求項３】
折り返しされた第一箱部の開口面と前記第二箱部の開口面とを密着保持するための固定爪と、前記固定爪が係合する固定穴を設けた請求項１または２に記載の空気調和機の温度センサ固定装置。
【請求項４】
第一本体固定部又は第二本体固定部のいずれか一方を省略した請求項３に記載の空気調和機の温度センサ固定装置。
【請求項５】
第二箱部の開口面を折り返したときに温度センサ固定溝の一部を覆う電線押さえ板を、前記第二箱部の開口面に対向する面に設置した請求項１〜４のいずれか１項に記載の空気調和機の温度センサ固定装置。
【請求項６】
電線保護板の代わりに、第一箱部の電線出口に接して第一本体固定部の突出方向に略９０°屈曲する電線収納溝を有する電線保護部を形成し、かつ第二箱部の開口面を折り返したときに前記電線保護溝を覆う電線保護壁を、前記第二箱部に設けた請求項１〜５のいずれか１項に記載の空気調和機の温度センサ固定装置。
【請求項７】
第一箱部と第二箱部のそれぞれの開口面から、それぞれの開口面に対向する面までの距離を、一方は大きく他方を小さく設定し、かつ前記第一箱部の開口面に対向する面から温度センサ固定溝の底までの距離と、前記第一箱部の開口面からその開口面に対向する面までの距離が一致しないように設定した請求項１〜６のいずれか１項に記載の空気調和機の温度センサ固定装置。
【発明の詳細な説明】
【技術分野】
【０００１】
本発明は、空気調和機の温度センサ固定装置に関するものである。
【背景技術】
【０００２】
従来、この種の空気調和機の温度センサ固定装置には、温度センサの感熱部を収納するための箱部と、温度センサの感熱部を固定する温度センサ固定面を樹脂材料にて一体に形成し、箱部に対して温度センサ固定面を折り返すことで温度センサの感熱部を箱部に収納するようにしたものがあった（例えば、特許文献１参照）。
【０００３】
図１５および図１６は、上記特許文献１に記載された従来の空気調和機の温度センサ固定装置の斜視図である。
【０００４】
図１５および図１６に示すように、従来の温度センサ固定装置１は、連通孔２と開口面３と本体固定部４を有する箱部５、温度センサ固定溝６と本体固定部７を有する温度センサ固定面８および、箱部５と温度センサ固定面８を連結する薄肉部９を一体に形成して構成されており、温度センサ１０の感熱部１１近傍の電線１２を、温度センサ固定溝６に挿入した後、箱部５に対して温度センサ固定面８を薄肉部９で折り返し、熱交換器１３の冷媒配管１４の間に差し込んで使用される。
【特許文献１】特開平１１−１５９８４０号公報
【発明の開示】
【発明が解決しようとする課題】
【０００５】
しかしながら、前記従来の空気調和機の温度センサ固定装置の構成では、温度センサ１０の電線１２が、熱交換器１３のフィン１３ａおよび端板（図示せず）などの端面に接触して傷つくことがあるため、電線１２に保護チューブ（図示せず）を設置する事が多かったが、保護チューブを温度センサ固定溝６の手前まで設置した場合には、電線１２が露出する部分が残って確実に保護することができず、また保護チューブを温度センサ固定溝６に挿入して設置した場合には、温度センサ１０の感熱部１１を最適位置に保持することが難しく、箱部５に接触して空気温度を正確に検知できないという課題を有していた。
【０００６】
本発明は、前記従来の課題を解決するもので、簡単な構造で温度センサを保護すると共に、温度誤検知を防止できる空気調和機の温度センサ固定装置を提供することを目的とする。
【課題を解決するための手段】
【０００７】
前記従来の課題を解決するために、本発明の空気調和機の温度センサ固定装置は、一面に開口面を有し少なくとも他の二面に複数の連通孔を有する第一箱部と、前記第一箱部の開口面の一端に形成され他の部品に連結される第一本体固定部と、同一面上の他端に前記第一箱部と略対称に形成された第二箱部および第二本体固定部と、前記第一箱部の開口面および前記第二箱部の開口面を連結する薄肉部とを備え、前記第一箱部の開口面において、前記薄肉部および前記第一本体固定部が設けられていない前記第一本体固定部に隣接する一辺に、温度センサの電線を通す電線出口および前記第一本体固定部の突出方向に略９０°屈曲する電線保護板を形成し、さらに前記第一箱部の開口面に対向する面に、温度センサ固定溝を有する温度センサ固定板を形成し、前記第一箱部の開口面に対し前記第二箱部の開口面を１８０°折り返すことで前記温度センサの感熱部が前記第一箱部および前記第二箱部に収納されるもので、空気温度を感知する機能を損なわずに、簡単な構造で温度センサを保護すると共に、温度センサの感熱部を最適位置に保持して温度誤検知を防止す
ることができ、空気調和機の信頼性を向上させることができる。
【発明の効果】
【０００８】
本発明の空気調和機の温度センサ固定装置は、簡単な構造で温度センサを保護し温度誤検知を防止することができ、より品質のよい空気調和機をユーザーに安価に提供することができる。
【発明を実施するための最良の形態】
【０００９】
第１の発明は、一面に開口面を有し少なくとも他の二面に複数の連通孔を有する第一箱部と、前記第一箱部の開口面の一端に形成され他の部品に連結される第一本体固定部と、同一面上の他端に前記第一箱部と略対称に形成された第二箱部および第二本体固定部と、前記第一箱部の開口面および前記第二箱部の開口面を連結する薄肉部とを備え、前記第一箱部の開口面において、前記薄肉部および前記第一本体固定部が設けられていない前記第一本体固定部に隣接する一辺に、温度センサの電線を通す電線出口および前記第一本体固定部の突出方向に略９０°屈曲する電線保護板を形成し、さらに前記第一箱部の開口面に対向する面に、温度センサ固定溝を有する温度センサ固定板を形成し、前記第一箱部の開口面に対し前記第二箱部の開口面を１８０°折り返すことで前記温度センサの感熱部が前記第一箱部および前記第二箱部に収納されるもので、空気温度を感知する機能を損なわずに、簡単な構造で温度センサを保護すると共に、温度センサの感熱部を最適位置に保持して温度誤検知を防止することができ、空気調和機の信頼性を向上させることができる。
【００１０】
第２の発明は、特に、第１の発明の第一本体固定部および第二本体固定部の一部を省略し、第一箱部の開口面に対し第二箱部の開口面を１８０°折り返したときに、他の部品に連結される本体固定部が形成されるもので、より安価に温度センサを保護することができる。
【００１１】
第３の発明は、特に、第１または第２の発明の折り返しされた第一箱部の開口面と前記第二箱部の開口面とを密着保持するための固定爪と、前記固定爪が係合する固定穴を設けたもので、温度センサ固定装置を熱交換器に差し込まない状態でも完成状態を維持することができ組立作業時の保護をより確実にし、さらに組立作業を容易にすることができる。
【００１２】
第４の発明は、特に、第３の発明の第一本体固定部又は第二本体固定部のいずれか一方を省略したもので、より簡単な構造で温度センサを保護することができる。
【００１３】
第５の発明は、特に、第１〜４のいずれか１つの発明の第二箱部の開口面を折り返したときに温度センサ固定溝の一部を覆う電線押さえ板を、前記第二箱部の開口面に対向する面に設置したもので、より確実に温度センサの感熱部を最適位置に保持し温度誤検知を防止することができる。
【００１４】
第６の発明は、特に、第１〜５のいずれか１つの発明の電線保護板の代わりに、第一箱部の電線出口に接して第一本体固定部の突出方向に略９０°屈曲する電線収納溝を有する電線保護部を形成し、かつ第二箱部の開口面を折り返したときに前記電線保護溝を覆う電線保護壁を、前記第二箱部に設けたもので、より確実に温度センサの電線を保護することができる。
【００１５】
第７の発明は、特に、第１〜６のいずれか１つの発明の第一箱部と第二箱部のそれぞれの開口面から、それぞれの開口面に対向する面までの距離を、一方は大きく他方を小さく設定し、かつ前記第一箱部の開口面に対向する面から温度センサ固定溝の底までの距離と、前記第一箱部の開口面からその開口面に対向する面までの距離が一致しないように設定したもので、より温度センサの感熱部への空気の流れを改善し温度誤検知を防止すること
ができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における空気調和機の温度センサ固定装置の斜視図、図２は、同温度センサ固定装置の完成状態を示す斜視図である。なお、従来の空気調和機の温度センサ固定装置を示す図１５および図１６と同じ構成要素については同じ符号を用いて、その説明を省略する。
【００１８】
図１、図２において、本実施の形態における空気調和機の温度センサ固定装置１には、一面に開口面３を設け少なくとも他の二面に、内外を連通する複数の連通孔２を設けて形成された第一箱部１５と、前記第一箱部１５の開口面３の一端に他の部品と連結される第一本体固定部１６が形成され、同一面上の他の一端には、前記第一箱部１５と略対称に形成された第二箱部１７および第二本体固定部１８と、前記第一箱部１５の開口面３および第二箱部の開口面１９を連結する薄肉部９とが設けられ、前記第一箱部１５の開口面３において、前記薄肉部９および前記第一本体固定部１６が設けられていない前記第一本体固定部１６に隣接する一辺に、後述の温度センサ１０の電線１２を通す電線出口２０および前記第一本体固定部１６の突出方向に略９０°屈曲する電線保護板２１が形成されている。
【００１９】
さらに、前記第一箱部１５の開口面３と対向する面２２には、温度センサ固定溝２３を有する温度センサ固定板２４が形成されている。なお前記第二箱部１７には、前記第二箱部１７の開口面１９以外の少なくとも他の二面には、内外を連通する複数の連通孔２５が設けられている。
【００２０】
以上のように構成された本実施の形態における空気調和機の温度センサ固定装置について、以下その動作、作用を説明する。
【００２１】
まず、温度センサ１０は、感熱部１１近傍の電線１２を、温度センサ固定溝２３に挿入設置した後、電線出口２０に設置される。次に、第一箱部１５の開口面３に対し、第二箱部１７の開口面１９を１８０°折り返すことで、温度センサ１０の感熱部１１が、第一箱部１５および第二箱部１７に収納される。さらに、第一本体固定部１６および第二本体固定部１８よりなる本体固定部２６を、空気調和機の熱交換器１３の冷媒配管１４の間に差し込むことにより、温度センサ固定装置１は、空気調和機に配設される。
【００２２】
熱交換器１３は、鋭利な端面を有するフィン２７など、温度センサ１０の電線１２が接触すると傷がつくような部品から構成されているが、本実施の形態では、電線出口２０より出た電線１２を、本体固定部２６の突出方向に略９０°屈曲する電線保護板２１により確実に保護することができる。
【００２３】
本実施の形態においては、第一箱部５に形成された連通孔２は、少なくとも一辺を３ｍｍ以下とした矩形状の孔とし、温度センサ１０の感熱部１１が、連通孔２を貫通しない構成を採っているが、感熱部１１よりも小なる形状であれば連通孔２は、円形等をなして構成してもよい。
【００２４】
以上のように、本実施の形態においては、温度センサ固定装置１を、一面に開口面３を設け少なくとも他の二面に複数の連通孔２を設けて形成される第一箱部１５と、前記第一箱部１５の開口面３の一端に他の部品と連結される第一本体固定部１６を形成し、同一面
上の他の一端には、前記第一箱部１５と略対称に形成される第二箱部１７および第二本体固定部１８と前記第一箱部１５の開口面３および第二箱部１７の開口面１９を連結する薄肉部９とを設け、前記第一箱部１５の開口面３において、前記薄肉部９および前記第一本体固定部１６が設けられていない前記第一本体固定部１６に隣接する一辺に電線出口２０および前記第一本体固定部１６の突出方向に略９０°屈曲する電線保護板２１を形成し、さらに前記第一箱部１５の開口面３に対向する面２２に、温度センサ固定溝２３を有する温度センサ固定板２４を形成し、前記第一箱部１５の開口面３に対し前記第二箱部１７の開口面１９を１８０°折り返すことで、温度センサ１０の感熱部１１が第一箱部１５および第二箱部１７に収納される構成とすることにより、空気温度を感知する機能を損なわずに簡単な構造で温度センサ１０を保護し、空気調和機の信頼性を向上させることができる。
【００２５】
（実施の形態２）
図３は、本発明の第２の実施の形態における空気調和機の温度センサ固定装置の斜視図、図４は、同空気調和機の温度センサ固定装置の完成状態を示す斜視図である。なお、上記第１の実施の形態或いは従来例における空気調和機の温度センサ固定装置と同一部品については、同一符号を用いて、その説明を省略する。
【００２６】
図３および図４において、本実施の形態における空気調和機のセンサ固定装置１では、第一箱部１５の開口面３に対し、第二箱部１７の開口面１９を１８０°折り返したときに、第一本体固定部１６および第二本体固定部１８よりなる本体固定部２６の重複する部分を減らすように、第一本体固定部１６および第二本体固定部１８の一部が省略されて設けられている。
【００２７】
以上のように構成された本実施の形態における空気調和機の温度センサ固定装置においては、本体固定部２６の重複部分を少なくすることで、より安価に温度センサ１０を保護することができる。
【００２８】
以上のように、本実施の形態においては、第一本体固定部１６および第二本体固定部１８の一部を省略し、第一箱部１５の開口面３に対し第二箱部１７の開口面１９を１８０°折り返したときに本体固定部２６が形成されるように構成することにより、より安価に温度センサ１０を保護することができる。
【００２９】
（実施の形態３）
図５は、本発明の第３の実施の形態における空気調和機の温度センサ固定装置の斜視図、図６は、同空気調和機の温度センサ固定装置の完成状態を示す斜視図である。なお、上記実施の形態或いは従来例における空気調和機の温度センサ固定装置と同一部品については、同一符号を用いて、その説明を省略する。
【００３０】
本実施の形態における空気調和機の温度センサ固定装置１は、図５、図６に示すように、折り返しされた第一箱部１５の開口面３と第二箱部１７の開口面１９とを密着保持するための固定爪２８と、その固定爪２８が係合する固定穴２９を設けたものである。
【００３１】
以上のように構成された本実施の形態における空気調和機の温度センサ固定装置１においては、固定爪２８を固定穴２９に係合させることで、温度センサ固定装置１を、熱交換器１３に設置しない状態でも完成状態を維持することができ、組立作業時の温度センサ１０の保護をより確実にし、さらに組立作業を容易にすることができる。
【００３２】
以上のように、本実施の形態においては、折り返しされた第一箱部１５の開口面３と第二箱部１７の開口面１９とを密着保持する固定爪２８と固定穴２９を設けたことにより、
温度センサ固定装置１を熱交換器１３に差し込まない状態でも完成状態を維持することができ、組立作業時の温度センサ１０の保護をより確実にしさらに組立作業を容易にすることができる。
【００３３】
（実施の形態４）
図７は、本発明の第４の実施の形態における空気調和機の温度センサ固定装置の斜視図、図８は、同空気調和機の温度センサ固定装置の完成状態を示す斜視図である。なお、上記実施の形態或いは従来例における空気調和機の温度センサ固定装置と同一部品については、同一符号を用いて、その説明を省略する。
【００３４】
本実施の形態における空気調和機の温度センサ固定装置１は、図７、図８に示すように、実施の形態３における固定爪２８と固定穴２９に加え、熱交換器１３に温度センサ固定装置１を取り付けるための本体固定部２６として、第一本体固定部１６のみ設けたものである。
【００３５】
以上のように構成された本実施の形態における空気調和機の温度センサ固定装置１においては、本体固定部２６がより単純な構成になるため、より簡単な構造で温度センサ１０を保護することができる。
【００３６】
なお、本実施の形態においては、本体固定部２６として第一本体固定部１６のみ設けたが、本体固定部２６として第二本体固定部１８のみ設けるようにしても良い。
【００３７】
以上のように、本実施の形態においては、本体固定部２６を第一箱部１５または第二箱部１７の一方のみに設置することにより、より簡単な構造で温度センサ１０を保護することができる。
【００３８】
（実施の形態５）
図９は、本発明の第５の実施の形態における空気調和機の温度センサ固定装置の斜視図、図１０は、同空気調和機の温度センサ固定装置の使用状態を示す一部を省略した断面図である。なお、上記実施の形態或いは従来例における空気調和機の温度センサ固定装置と同一部品については、同一符号を用いて、その説明を省略する。
【００３９】
本実施の形態における空気調和機の温度センサ固定装置１は、図９、図１０に示すように、温度センサ固定装置１の第二箱部１７を折り返したときに、温度センサ固定板２４に設けた温度センサ固定溝２３の開口部２３ａの一部を覆う電線押さえ板３０を、第二箱部１７の開口面１９に対向する面３１に設置したものである。
【００４０】
以上のように構成された本実施の形態における空気調和機の温度センサ固定装置１においては、温度センサ固定溝２３の開口部２３ａの一部を電線押さえ板３０が覆い、温度センサ１０の電線１１が温度センサ固定溝２３からはずれることを防止するため、より確実に温度センサ１０の感熱部１１を最適位置に保持し温度誤検知を防止することができる。
【００４１】
以上のように、本実施の形態においては、折り返しされたときに温度センサ固定板２４の温度センサ固定溝２３の開口部２３ａの一部を覆う電線押さえ板３０を、第二箱部１７の開口面１９に対向する面３１に設けたことにより、より確実に温度センサ１０の感熱部１１を最適位置に保持し、確実に温度誤検知を防止することができる。
【００４２】
（実施の形態６）
図１１は、本発明の第６の実施の形態における空気調和機の温度センサ固定装置の斜視図、図１２は、同空気調和機の温度センサ固定装置の完成状態を示す斜視図である。なお
、上記実施の形態或いは従来例における空気調和機の温度センサ固定装置と同一部品については、同一符号を用いて、その説明を省略する。
【００４３】
本実施の形態における空気調和機の温度センサ固定装置１は、図１１、図１２に示すように、電線保護板２１の代わりに、第一箱部１５の電線出口２０に接して、第一本体固定部１６の突出方向に略９０°屈曲する電線収納溝３２を有する電線保護部３３を形成し、かつ第二箱部１７を第一箱部１５側に折り返したときに、前記電線保護溝３２を覆う電線保護壁３４を第二箱部１７に設置したものである。
【００４４】
以上のように構成された本実施の形態における空気調和機の温度センサ固定装置１においては、温度センサ１０の電線１１の周囲を電線保護部３３および電線保護壁３４が覆うため、より確実に温度センサ１０を保護することができる。
【００４５】
以上のように、本実施の形態においては、電線保護板２１の代わりに、第一箱部１５の電線出口２０に接して、第一本体固定部１６の突出方向に略９０°屈曲する電線収納溝３２を有する電線保護部３３を形成し、かつ第二箱部１７が折り返しされたときに前記電線保護溝３２を覆う電線保護壁３４を第二箱部１７に形成することにより、より確実に温度センサ１０の電線１２を保護することができる。
【００４６】
（実施の形態７）
図１３は、本発明の第７の実施の形態における空気調和機の温度センサ固定装置の斜視図、図１４は、同空気調和機の温度センサ固定装置の使用状態を示す一部を省略した断面図である。なお、上記実施の形態或いは従来例における空気調和機の温度センサ固定装置と同一部品については、同一符号を用いて、その説明を省略する。
【００４７】
本実施の形態における空気調和機の温度センサ固定装置１は、図１３、図１４に示すように、第一箱部１５の開口面３からその開口面３に対向する面２２までの距離ａよりも、第二箱部１７の開口面１９からその開口面１９に対向する面３１までの距離ｂを大きく形成し、かつ前記第一箱部１５の開口面３に対向する面２２から温度センサ固定溝２３の底２３ｂまでの距離ｃが、前記距離ａと一致しないように形成したものである。
【００４８】
以上のように構成された本実施の形態における空気調和機の温度センサ固定装置１においては、折り返しされた第一箱部１５の開口面３と第二箱部１７の開口面１９とを密着させた部分には、連通孔２または２５を設けることができないために温度検知に必要な空気の流れを妨害するおそれがあるが、本実施の形態のように、温度センサ１０の感熱部１１の位置をずらすことにより空気の流れを改善し、より確実に温度誤検知を防止することができる。
【００４９】
本実施の形態においては、温度センサ固定装置１は、第一箱部１５の開口面３から開口面３に対向する面２２までの距離ａよりも、第二箱部１７の開口面１９から開口面１９に対向する面３１までの距離ｂを大きく設定したが、距離ｂよりも距離ａを大きく設定しても良い。
【００５０】
以上のように、本実施の形態においては、第一箱部１５と第二箱部１７の開口面３、１９からそれらと対向する面２２、３１までの距離を、一方は大きく他方を小さく形成し、かつ前記第一箱部１５の開口面３に対向する面２２から温度センサ固定２３の底２３ｂまでの距離ｃを前記第一箱部１５の開口面３から開口面３に対向する面２２までの距離ａに一致しないように設定することにより、より温度センサ１０の感熱部１１への空気の流れを改善し温度誤検知を防止することができる。
【産業上の利用可能性】
【００５１】
以上のように、本発明にかかる空気調和機の温度センサ固定装置は、簡単な構造で温度センサを保護し温度誤検知を防止することが可能となるので、温度を検知して運転制御を行う送風機等の用途にも適用できる。
【図面の簡単な説明】
【００５２】
【図１】本発明の実施の形態１における空気調和機の温度センサ固定装置の斜視図
【図２】同温度センサ固定装置の完成状態を示す斜視図
【図３】本発明の実施の形態２における空気調和機の温度センサ固定装置の斜視図
【図４】同温度センサ固定装置の完成状態を示す斜視図
【図５】本発明の実施の形態３における空気調和機の温度センサ固定装置の斜視図
【図６】同温度センサ固定装置の完成状態を示す斜視図
【図７】本発明の実施の形態４における空気調和機の温度センサ固定装置の斜視図
【図８】同温度センサ固定装置の完成状態を示す斜視図
【図９】本発明の実施の形態５における空気調和機の温度センサ固定装置の斜視図
【図１０】同温度センサ固定装置の使用状態を示す一部を省略した断面図
【図１１】本発明の実施の形態６における空気調和機の温度センサ固定装置の斜視図
【図１２】同温度センサ固定装置の完成状態を示す斜視図
【図１３】本発明の実施の形態７における空気調和機の温度センサ固定装置の斜視図
【図１４】同温度センサ固定装置の使用状態を示す一部を省略した断面図
【図１５】従来の空気調和機の温度センサ固定装置の斜視図
【図１６】同温度センサ固定装置の完成状態を示す斜視図
【符号の説明】
【００５３】
１  温度センサ固定装置
２、２５  連通穴
３  開口面
８  温度センサ固定面
９  薄肉部
１０  温度センサ
１１  感熱部
１２  電線
１３  熱交換器
１４  冷媒配管
１５  第一箱部
１６  第一本体固定部（本体固定部）
１７  第二箱部
１８  第二本体固定部（本体固定部）
１９  開口面
２０  電線出口
２１  電線保護板
２３  温度センサ固定溝
２４  温度センサ固定板
２６  本体固定部
２８  固定爪
２９  固定穴
３０  電線押さえ板
３２  電線収納溝
３３  電線保護部
３４  電線保護壁
【図１】
2010112641.tif 000003
【図２】
2010112641.tif 000004
【図３】
2010112641.tif 000005
【図４】
2010112641.tif 000006
【図５】
2010112641.tif 000007
【図６】
2010112641.tif 000008
【図７】
2010112641.tif 000009
【図８】
2010112641.tif 000010
【図９】
2010112641.tif 000011
【図１０】
2010112641.tif 000012
【図１１】
2010112641.tif 000013
【図１２】
2010112641.tif 000014
【図１３】
2010112641.tif 000015
【図１４】
2010112641.tif 000016
【図１５】
2010112641.tif 000017
【図１６】
2010112641.tif 000018